(57)【要約】病理上排泄物処理装置（１０）は密閉可能な蓋体（１６）と排泄物タンク（２０）に接続される排泄物排出口（１４）とを有する処理室（１１）を備えている。排泄物用袋（４０）用の保持体（３０）はノズル（５０）から高圧水を与えられる羽根車（３０）により回転できるように軸（３１）上に取付けられている。水ナイフ（７０）は排泄物用袋から排泄物を放出し、該排泄物を処理室（１１）の底壁（１３）に向わせ、排泄物排出口（１４）を通して該排泄物を排泄物タンク（２０）に流出させるため保持体が回転している間に排泄物用袋（４０）を切開する。安全インターロック手段は蓋体（１６）が上昇している間には処理装置の作動を阻止し、そして処理装置（１０）が作動している間には蓋体（１６）の開放を阻止する。
2004524899.tif 000002
【特許請求の範囲】
【請求項１】
密閉可能な蓋体を有する処理室と、該処理室内に回転可能に取付けられかつ複数の使い捨て排泄物用袋を支持する手段を有する排泄物用袋保持体と、該保持体を回転させる手段と、排泄物用袋から排泄物を放出させるナイフ手段と、排泄物用袋から排泄物を洗浄するための洗浄手段と、排泄物を収集場所または収集タンクに排出させることができるように処理室中に設けた排泄物排出口とから構成した病理上排泄物処理装置。
【請求項２】
処理室と蓋体とをステンレススチールまたは適当なプラスチック材料から形成した請求項１記載の処理装置。
【請求項３】
処理室には円筒状側壁と排泄物排出口に対し下方向に湾曲させるかまたは下方向に先細り状にした底壁とを備えた請求項１記載の処理装置。
【請求項４】
排泄物排出口をＳ字管により排泄物収集タンク、排泄物収集場所、または排泄物処理手段に接続させた請求項３に記載の処理装置。
【請求項５】
密閉可能な蓋体を側壁上に蝶着式に取付け、該蓋体には蓋体が上昇している間には処理装置の作動を阻止し、そして／あるいは処理装置が作動している間では蓋体の上昇を阻止するソレノイドのような安全作動手段を備えた請求項３に記載の処理装置。
【請求項６】
排泄物用袋保持体を処理室内に側壁と同軸的に適当な軸受および／あるいはブッシュを介して支持軸上に回転可能に取付け、排泄物用袋を取外し可能に支持するために保持体には複数のフック、クリップまたは他の支持手段を備えた請求項３乃至５のいづれか１項に記載の処理装置。
【請求項７】
保持体を回転させる手段には羽根車を備え、該羽根車には１つまたはそれ以上の水ノズルを介して１つまたはそれ以上の高圧水噴射を向けて羽根車を駆動させる請求項３乃至６のいずれか１項に記載の処理装置。
【請求項８】
保持体を処理室の側壁に回転可能に軸受けされた軸上に取付け、該保持体を電動モータ、油圧モータ、真空モータ等により、直接または間接的のいずれかで駆動可能にした請求項３乃至６のいずれか１項に記載の処理装置。
【請求項９】
排泄物用袋から排泄物を放出させるナイフ手段には処理室内に備えた１つまたはそれ以上の高圧水ナイフもしくは１つまたはそれ以上の伸縮自在の機械ナイフを設け、該高圧水ナイフまたは機械ナイフにより排泄物用袋をその底部近くで切開可能にした請求項１乃至８のいずれか１項に記載の処理装置。
【請求項１０】
排泄物用袋から排泄物を洗浄するための洗浄手段には処理室内に備えた１つまたはそれ以上の水ノズルを設けた請求項１乃至９のいずれか１項に記載の処理装置。
【請求項１１】
羽根車に向けられた１つまたはそれ以上の高圧水ノズルと、１つまたはそれ以上の水ナイフとに対する水の流量を制御するそれぞれの弁をタイマー手段により制御可能にした請求項１乃至１０のいずれか１項に記載の処理装置。
【請求項１２】
１つまたはそれ以上の圧力ポンプを介して水を水源から供給させる請求項１０に記載の処理装置。
【発明の詳細な説明】
【技術分野】
【０００１】
本発明は病理上排泄物処理装置に関するものである。
【０００２】
用語“病理上排泄物”は尿、糞便、他の体液、膿汁およびその他の排泄物および／または感染性物質を含むものとして用いられている。本発明は主として人体からのこのような排泄物の処理に関するものであるが、排泄物は動物類、鳥類もしくは他の生物から生じるものを含む。
【背景技術】
【０００３】
使い捨ての排泄物用袋、例えば尿用袋、人工肛門用袋、外傷排液用袋の使用がオーストラリヤ国ならびに世界中で増加している。例えば、老人病看護やケアー施設では患者は毎日１つあるいはそれ以上の採尿用袋が与えられている。
【０００４】
病理上排泄物用袋の処理は高価であり、しかもその袋は典型的例として排泄物を充満する有用な空間を定めた密封容器に入れて捨てられている。バッグが損傷を受けた場合、排泄物は土壌を通して水流もしくは地下水中に手に負えない状態で滲出する。
【発明の開示】
【発明が解決しようとする課題】
【０００５】
本発明の目的は収集された排泄物を排泄物処理用袋から容易に取り除くことができる病理上排泄物処理装置を提供することにある。
【０００６】
本発明の他の目的は排泄物用袋が空になった時に貯蔵もしくは破棄するために排泄物用袋を収集することができる病理上排泄物処理装置を提供することにある。
【０００７】
本発明のその他の目的は、排泄物と接触することによって感染の可能性を最小限にさせるため作業者の安全を保障することができる病理上排泄物処理装置を提供することにある。
【０００８】
本発明のさらなる目的は電力供給を必要としないで作動させることができる病理上排泄物処理装置を提供することにある。
【課題を解決するための手段】
【０００９】
１つの実施態様において、本発明の病理上排泄物処理装置は密閉可能な蓋体を有する処理室と、該処理室に回転可能に取付けられかつ複数の使い捨て排泄物用袋を支持する支持手段を有する排泄物用袋保持体と、該保持体を回転させるための手段と、排泄物用袋から排泄物を放出させる手段と、排泄物用袋から排泄物を洗浄するための洗浄手段と、排泄物を収集場所または収集タンクに排出できるように処理室に備えた排泄物排出口とから構成したものである。
【００１０】
処理室（および蓋体）はステンレススチールまたは適当なプラスチック材料から形成されている。好ましくは、前記処理室は円筒状側壁と排泄物排出口に対し湾曲すなわち下方向に先細りになった底壁とを有している（排泄物排出口はたとえばＳ字管により排泄物収集タンク、排泄物収集場所、あるいは排泄物処理手段に接続することができる）。
【００１１】
好ましくは、密閉可能な蓋体は処理室内の側壁上に蝶着式に取付けられ、該蓋体が上昇している間には処理装置を作動させないようにした安全作動手段を備えている。
【００１２】
好ましくは、排泄物用袋保持体は処理室内において側壁と同軸的に適切な軸受および／またはブッシュを介して支持軸上に回転可能に取付けられている。排泄物用袋を取外し可能に支持するために、該保持体には複数のフック、クリップもしくは他の支持手段が備えられている。
【００１３】
保持体を回転させる手段は羽根車から成り、羽根車には１つまたはそれ以上の水ノズルを介して１つまたはそれ以上の高圧水噴射を与える。変形例において、保持体は処理室の底壁内に回転可能に軸受された軸に取付けられ、電動モータ、油圧モータ、真空モータ等により直接または間接的に駆動され得る。
【００１４】
排泄物用袋から排泄物を放出させる手段は処理室内に備えた１つもしくはそれ以上の高圧水ナイフまたは伸縮自在の機械ナイフからなり、排泄物用袋を切開する（好ましくは袋の底部）。１つまたはそれ以上の水ナイフは排泄物用袋を切開するため制御可能な高圧で濃縮の水噴射を形成する。
【００１５】
排泄物用袋から排泄物を洗浄する洗浄手段は処理室に備えた１つまたはそれ以上の水ノズル（たとえば水ナイフ）からなっている。
【００１６】
タイマー手段は羽根車に向けた高圧ノズルと、１つまたはそれ以上の水ナイフとに流動させる流量を制御するそれぞれの弁を制御する。水は１つまたはそれ以上の圧力ポンプを介して水源から供給される。
【発明を実施するための最良の形態】
【００１７】
図１に示した第１実施例の処理装置１０はステンレススチール製であって、円筒状側壁１２と（凸状）湾曲底壁１３とを有する処理室１１を備えている。湾曲底壁１３に備えた排泄物排出口１４は排泄物を搬送するＳ字管１５を介して収集地点または収集タンク２０に接続されている（底壁１３に設けた環状溝（図示せず）を排泄物排出口１４に接続させることができる）。
【００１８】
側壁１２上には蓋体１６が蝶番式に取付けられ、蓋体１６は処理装置１０の作動中に排泄物用袋を処理室１１中に搬入させるかまたは処理室１１から取り出すことができる上昇位置と密閉位置との間を移動させるように作動できる。
【００１９】
排泄物用袋保持体３０は処理室１１の側壁１２と同軸的に中央軸３１上に回転できるように取付けられている。保持体３０はボールベアリング３２と（たとえばナイロン製）ブッシュ３３とを介して軸３１上に回転可能に軸受されている。
【００２０】
保持体３０はフレーム３４を有し、該フレーム３４上には病理上排泄物４１（たとえば尿および／または糞便）を含有する使い捨て排泄物用袋４０を取外し可能に支持するために複数のフック、クリップ、クランプ等３５が備えられている。
【００２１】
保持体３０は保持体フレーム３４の下側に同軸的に取付けられた羽根車（またはタービン）３６を有し、保持体３０は水ノズル５０を介して羽根車３６上に向けられた高圧水噴射により操縦自在に回転することができ、水ノズルは圧力ポンプ６１と弁５１とを介して水源６０に接続されている。
【００２２】
排泄物用袋４０は処理室１１に設けられた１つまたはそれ以上の水ナイフ７０からの高圧水噴射により切開され、水ナイフ７０は弁７１を介して圧力ポンプ６１に接続されている（複数のナイフに対しては、１つの弁がナイフに接続されたマニホルドに水流を向けることができる）。
【００２３】
弁５１及び弁７１のそれぞれの操作はタイマー装置８０を介して制御され、弁５１，７１は安全機構９０により閉鎖され、該安全機構９０は蓋体１６が上昇位置にある時には弁５１，７１を閉塞させる（安全機構９０は保持体３０用の制動機構（図示せず）に接続させることができる）。
【００２４】
処理装置１０の操作を以下に説明する。
【００２５】
蓋体１６を上昇させ、排泄物用袋４０（病理上排泄物４１を含有している）をフックまたはクリップ３５を介して保持体３０に取付ける。
【００２６】
蓋体１６を密閉させ、タイマー装置８０が弁５１を開き、水を羽根車３６に向け、それにより保持体３０を高速度で回転させる。タイマー装置８０が１つもしくはそれ以上の水ナイフ７０上の弁７１をも開き、水ナイフ７０が排泄物用袋４０を切開して排泄物４１を放出させる。ノズル５０とナイフ７０からの水と保持体３０の回転により生じた遠心力との組合せが袋４０から排泄物４１を放出させ、それを処理室１１の底壁１３上に流出させ、その後、排泄物４１は排泄物排出口１４（Ｓ字管１５を介して）から収集タンク２０に排出される（収集タンク２０に集められた排泄物４１は１つまたはそれ以上の処理工程を受けて、たとえば排泄物４１からの水を水路系に安全に戻すことができる）。
【００２７】
保持体３０は軸３１上に回転可能に取付けられ、羽根車３６上でに与えられる水圧により回転することができるが、しかし保持体３０は処理室１１の底壁１３上に軸受された回転軸上に取付けることができ、電動モータ、油圧モータ、真空モータ等により直接的に（またはたとえばベルトとプーリもしくはスプロケットとチェーンにより間接的に）駆動させることができる。このような構成を採用することにより、回転軸と処理室１１の底壁１３との間には適切な密封手段を備えねばならない。
【００２８】
１つまたはそれ以上の水ナイフ７０の変形例として、１つもしくはそれ以上の収縮可能な機械ナイフ（図示せず）を処理室１１に備えることができ、該機械ナイフは真空ラムに取付けたブレード７０を有し、排泄物用袋４０を切開して排泄物４１を放出させる。機械ナイフは好ましくは保持体３０が回転している時（そして／または蓋体１６が上昇位置にある時）は常に機械ナイフが必ず収縮していることを保証するインターロックを有している。
【００２９】
洗浄作業サイクルが完了した時、作業員は蓋体１６を開放でき、そして適切に処理するため（ここでは空になっている）排泄物用袋４０を処理室１１から取り出すことができる。処理されるべき材料（すなわち空の排泄物用袋４０）の量は満杯の排泄物用袋の量と比較して非常に少ない。
【００３０】
処理装置１０の構成部材は好ましくは排泄物の腐蝕作用を受けない材料から製造され、このような材料はステンレススチール、他のスチール合金、ガラス強化プラスチック、射出成形プラスチックもしくは他のプラスチック材料を含む。
【００３１】
高圧の水源がたとえば網目状供給源からの水源を使用できる場合には圧力ポンプ６１は省略できる。
【００３２】
機械タイマーが備えられている場合には電力源の必要はなく、処理装置１０は資源が限られた遠隔の場所でも使用できる。
【００３３】
図２および図３には、第２実施例の処理装置１１０が示され、該処理装置１１０は図１の処理装置１０とほぼ類似する。
【００３４】
水ナイフ１７０は蓋体１１６に取付けられ、そして高圧ポンプ（図示せず）に接続されている。保持体１３０上の羽根車１３６を駆動させるノズル１５０は弁（図示せず）を介して水源に接続され、該弁は閉鎖された蓋体１１６を解錠可能に施錠するハンドル１１７により制御されている。ハンドル１１７は蓋体１１６が上昇されている時（図３参照）、水ナイフ１７０を遮断させる弁（図示せず）を作動させる。ソレノイド１１８は処理装置１１０が作動している間、すなわち水ナイフ１７０が作動中あるいは保持体１３０が回転している間、蓋体１６を開放するようにハンドル１１７が作動するのを阻止する。
【００３５】
この実施例において、保持体１３０はキャップ１３１ａを介して軸１３１に取外し可能に接続され、該軸１３１は処理室１１１の内側壁に備えたブッシュ１３３で軸受され、軸１３１はその下端においてボールベアリング１３２で支持されている。
【００３６】
蓋体１１６は処理装置１１０が作動している間には上昇させることはできず、また蓋体１１６の開放は水をノズル１５０と水ナイフ１７０とに供給する弁を閉鎖させるため、操作の最大限の安全性が保証される。
【００３７】
ソレノイド１１８はノズル１５０と水ナイフ１７０との弁が保持体１３０の回転を停止させるように閉鎖した後、予め定めた時間（たとえば２分間）まで蓋体１１６を開放するようにハンドル１１７を作動させることができないように設定することもできる。これは保持体１３０用の制動機構の必要性を阻止する。
【００３８】
図４乃至図６は第３実施例の処理装置２１０を示し、保持体２３０は羽根車２３６により駆動される軸２３１上に取付けられた凸状底壁２３７を有するドラムである。側壁２３９内に形成したスロット２３８は水ナイフ２７０（処理室２１１内に備えた）からの水噴射を排泄物用袋（図示せず）に与え、排泄物用袋を切開することができるようになっている。
【００３９】
羽根車２３６は処理室２１１の側壁２１２に取付けられた水ノズル２５０からの水噴射により駆動される。処理室２１１の底壁２１３は排泄物と水を収集地点または収集タンク（図示せず）に連通する排泄物排出口２１４とＳ字管２１５に向けられるように傾斜底として形成されている。
【００４０】
上述したように、蓋体２１６は蓋体２１６が密閉されるまで処理装置２１０の作動を防止するインターロック手段を備え、洗浄作業サイクルが完了しかつ保持体ドラム２３０が回転しなくなるまで、蓋体２１６は開放されることはない。
【００４１】
処理装置２１０の操作はタイマー手段２１７ａを有するコンピュータ２１７ｂにより制御させることができ、処理装置のケーシング２１８の上部に備えた制御盤２１７を介して選択された必要作業サイクルにより制御される。
【００４２】
作業サイクル時間を低減させるために、ソレノイドにより制御させる特別の水ノズルが備えられ、該水ノズルは羽根車（もしくはタービン）３６，１３６，２３６に向けて水噴射を与え、洗浄作業サイクルが完了した時に保持体３０，１３０，２３０に制動力を付加する。
【００４３】
上述しかつ図示した実施例には本発明から逸脱することなく種々の変更ならびに変形を行うことができる。
【図面の簡単な説明】
【００４４】
【図１】本発明の処理装置の第１実施例の縦断側面図である。
【図２】本発明の装置のカバーを密閉した第２実施例の縦断側面図である。
【図３】カバーを揚げた図２と同様の装置の縦断側面図である。
【図４】第３実施例の一部分を断面で示した斜視図である。
【図５】第３実施例の平面図である。
【図６】図５の線Ａ−Ａに沿う断面図である。
【符号の説明】
【００４５】
１０，１１０，２１０      処理装置
１１，１１１，２１１      処理室
１２，２１２              筒状側壁
１３，２１３              凸状彎曲底壁
１４，２１４              排泄物排出口
１５，２１５              Ｓ字管
１６，１１６，２１６      蓋体
１１７                    ハンドル
２１７                    制御盤
２１７ｂ                  コンピュータ
１１８                    ソレノイド
２１８                    ケーシング
２０                      収集タンク
３０，１３０，２３０      保持体ドラム
３１，１３１              中央軸
１３１ｂ                  キャップ
３２，１３２              軸受
３３，１３３              ブッシュ
３４                      保持体フレーム
３５                      フック、クリップ、クランプ
３６，１３６，２３６      羽根車
２３７                    凸型底壁
２３８                    スロット
２３９                    側壁
４０                      排泄物用袋
４１                      病理上排泄物
５０，１５０，２５０      水ノズル
５１                      弁
６０                      水源
６１                      圧力ポンプ
７０，１７０，２７０      水ナイフ
７１                      弁
８０                      タイマー装置
【図１】
2004524899.tif 000003
【図２】
2004524899.tif 000004
【図３】
2004524899.tif 000005
【図４】
2004524899.tif 000006
【図５】
2004524899.tif 000007
【図６】
2004524899.tif 000008
【国際公開パンフレット】
2004524899.tif 000009
2004524899.tif 000010
2004524899.tif 000011
2004524899.tif 000012
2004524899.tif 000013
2004524899.tif 000014
2004524899.tif 000015
2004524899.tif 000016
2004524899.tif 000017
2004524899.tif 000018
2004524899.tif 000019
2004524899.tif 000020
2004524899.tif 000021
2004524899.tif 000022
2004524899.tif 000023
2004524899.tif 000024
【国際調査報告】
2004524899.tif 000025
2004524899.tif 000026
2004524899.tif 000027